【手続補正書】
【提出日】平成27年7月17日(2015.7.17)
【手続補正１】
【補正対象書類名】明細書
【補正対象項目名】０００９
【補正方法】変更
【補正の内容】
【０００９】
そのために本発明では、有色の第１インク、該第１インクより色材濃度が低く第１インクと同一の色相である有色の第２インク、およびクリアインクを、記録ヘッドを用いて記録媒体に付与することによって記録を行い、記録媒体の単位領域に画像を形成する画像処理装置であって、画像の画像データに基いて、前記第１インクおよび前記第２インクそれぞれの付与量と、前記単位領域に対する前記有色インクの付与が完了する前に当該単位領域へのクリアインクの付与を開始する記録動作におけるクリアインクの付与量であるクリアインクの第１付与量と、前記単位領域に対する前記有色インクの付与が完了した後に当該単位領域へのクリアインクの付与を開始する記録動作におけるクリアインクの付与量であるクリアインクの第２付与量と、を決定する決定手段と、前記決定手段によって決定された、前記第１インク、前記第２インク、および前記クリアインクの付与量に従って、前記記録ヘッドに、前記第１インク、前記第２インクおよび前記クリアインクを吐出するよう制御する制御手段と、を具え、前記決定手段は、前記第２インクの付与量が前記第１インクの付与量より多いという条件を満たす場合のうちの少なくとも一部の場合には、前記第１付与量を前記第２付与量より多くし、前記第１インクの付与量が前記第２インクの付与量より多いという条件を満たす場合のうちの少なくとも一部の場合には、前記第２付与量を前記第１付与量より多くするように、前記第１インク、前記第２インク、および前記クリアインクの付与量を決定することを特徴とする。
【手続補正２】
【補正対象書類名】特許請求の範囲
【補正対象項目名】全文
【補正方法】変更
【補正の内容】
【特許請求の範囲】
【請求項１】
有色の第１インク、該第１インクより色材濃度が低く第１インクと同一の色相である有色の第２インク、およびクリアインクを、記録ヘッドを用いて記録媒体に付与することによって記録を行い、記録媒体の単位領域に画像を形成する画像処理装置であって、
画像の画像データに基いて、前記第１インクおよび前記第２インクそれぞれの付与量と、前記単位領域に対する前記有色インクの付与が完了する前に当該単位領域へのクリアインクの付与を開始する記録動作におけるクリアインクの付与量であるクリアインクの第１付与量と、前記単位領域に対する前記有色インクの付与が完了した後に当該単位領域へのクリアインクの付与を開始する記録動作におけるクリアインクの付与量であるクリアインクの第２付与量と、を決定する決定手段と、
前記決定手段によって決定された、前記第１インク、前記第２インク、および前記クリアインクの付与量に従って、前記記録ヘッドに、前記第１インク、前記第２インクおよび前記クリアインクを吐出するよう制御する制御手段と、
を具え、
前記決定手段は、前記第２インクの付与量が前記第１インクの付与量より多いという条件を満たす場合のうちの少なくとも一部の場合には、前記第１付与量を前記第２付与量より多くし、前記第１インクの付与量が前記第２インクの付与量より多いという条件を満たす場合のうちの少なくとも一部の場合には、前記第２付与量を前記第１付与量より多くするように、前記第１インク、前記第２インク、および前記クリアインクの付与量を決定することを特徴とする画像処理装置。
【請求項２】
前記第１付与量と前記第２付与量それぞれによるクリアインクの付与は、クリアインクを吐出するための前記記録ヘッドの異なるノズル群によって行われることを特徴とする請求項１に記載の画像処理装置。
【請求項３】
前記クリアインクの付与は、クリアインクを吐出するための前記記録ヘッドの同一ノズル列によって行われ、該同一ノズル列のうち、前記第１付与量によるクリアインクの付与は下流側のノズル群、前記第２付与量によるクリアインクの付与は上流側のノズル群によって行われることを特徴とする請求項１または２に記載の画像処理装置。
【請求項４】
前記決定手段は、画像データが白を表す場合、前記クリアインクの付与量をゼロにすることを特徴とする請求項１ないし３のいずれか１項に記載の画像処理装置。
【請求項５】
前記決定手段は、前記第１インクの付与量がゼロより多い場合は、前記第２付与量をゼロ以上にすることを特徴とする請求項１ないし３のいずれか１項に記載の画像処理装置。
【請求項６】
前記決定手段は、前記第２インクの付与量がゼロより多い場合は、前記第１付与量をゼロ以上にすることを特徴とする請求項１ないし３のいずれか１項に記載の画像処理装置。
【請求項７】
前記決定手段は、前記第２インクの付与量が前記第１インクの付与量より多い場合のうちの少なくとも一部の場合では、前記第２付与量をゼロにするように、前記第１インク、前記第２インク、および前記クリアインクの付与量を決定することを特徴とする請求項１ないし３のいずれか１項に記載の画像処理装置。
【請求項８】
前記決定手段は、前記第１インクの付与量が前記第２インクの付与量より多い場合のうちの少なくとも一部の場合では、前記第１付与量をゼロにするように、前記第１インク、前記第２インク、および前記クリアインクの付与量を決定することを特徴とする請求項１ないし３のいずれか１項に記載の画像処理装置。
【請求項９】
前記第１インクと前記第２インクの色相は、シアンの色相であることを特徴とする請求項１ないし８のいずれか１項に記載の画像処理装置。
【請求項１０】
有色の第１インク、該第１インクより色材濃度が低く第１インクと同一の色相である有色の第２インク、およびクリアインクを、記録ヘッドを用いて記録媒体に付与することによって記録を行い、記録媒体の単位領域に画像を形成するための画像処理方法であって、
画像の画像データに基いて、前記第１インクおよび前記第２インクそれぞれの付与量と、前記単位領域に対する前記有色インクの付与が完了する前に当該単位領域へのクリアインクの付与を開始する記録動作におけるクリアインクの付与量であるクリアインクの第１付与量と、前記単位領域に対する前記有色インクの付与が完了した後に当該単位領域へのクリアインクの付与を開始する記録動作におけるクリアインクの付与量であるクリアインクの第２付与量と、を決定する決定工程と、
前記決定工程で決定された、前記第１インク、前記第２インク、および前記クリアインクの付与量に従って、前記記録ヘッドに、前記第１インク、前記第２インクおよび前記クリアインクを吐出するよう制御する制御工程と、
を有し、
前記決定工程では、前記第２インクの付与量が前記第１インクの付与量より多いという条件を満たす場合のうちの少なくとも一部の場合には、前記第１付与量を前記第２付与量より多くし、前記第１インクの付与量が前記第２インクの付与量より多いという条件を満たす場合のうちの少なくとも一部の場合には、前記第２付与量を前記第１付与量より多くするように、前記第１インク、前記第２インク、および前記クリアインクの付与量を決定することを特徴とする画像処理方法。
【請求項１１】
前記第１付与量と前記第２付与量それぞれによるクリアインクの付与は、クリアインクを吐出するための前記記録ヘッドの異なるノズル群によって行われることを特徴とする請求項１０に記載の画像処理方法。
【請求項１２】
前記クリアインクの付与は、クリアインクを吐出するための前記記録ヘッドの同一ノズル列によって行われ、該同一ノズル列のうち、前記第１付与量によるクリアインクの付与は下流側のノズル群、前記第２付与量によるクリアインクの付与は上流側のノズル群によって行われることを特徴とする請求項１０または１1に記載の画像処理方法。
【請求項１３】
前記決定工程では、画像データが白を表す場合、前記クリアインクの付与量をゼロにすることを特徴とする請求項１０ないし１２のいずれか１項に記載の画像処理方法。
【請求項１４】
前記決定工程では、前記第１インクの付与量がゼロより多い場合は、前記第２付与量をゼロ以上にすることを特徴とする請求項１０ないし１２のいずれか１項に記載の画像処理方法。
【請求項１５】
前記決定工程では、前記第２インクの付与量がゼロより多い場合は、前記第１付与量をゼロ以上にすることを特徴とする請求項１０ないし１２のいずれか１項に記載の画像処理方法。
【請求項１６】
前記決定工程では、前記第２インクの付与量が前記第１インクの付与量より多い場合のうちの少なくとも一部の場合では、前記第２付与量をゼロにするように、前記第１インク、前記第２インク、および前記クリアインクの付与量を決定することを特徴とする請求項１０ないし１２のいずれか１項に記載の画像処理方法。
【請求項１７】
前記決定工程では、前記第１インクの付与量が前記第２インクの付与量より多い場合のうちの少なくとも一部の場合では、前記第１付与量をゼロにするように、前記第１インク、前記第２インク、および前記クリアインクの付与量を決定することを特徴とする請求項１０ないし１２のいずれか１項に記載の画像処理方法。
【請求項１８】
前記第１インクと前記第２インクの色相は、シアンの色相であることを特徴とする請求項１０ないし１７のいずれか１項に記載の画像処理方法。
【請求項１９】
記録データに基づき色材インクとクリアインクをそれぞれ吐出する記録ヘッドを用いて記録を行うインクジェット記録装置であって、
前記記録ヘッドの単位領域に対する（ｍ＋ｎ）回の走査で当該単位領域の記録を完成するよう制御するマルチパス記録制御手段、
を具え、
前記マルチパス記録制御手段は、ｍ回の走査それぞれで前記記録ヘッドから前記色材インクと前記クリアインクを吐出して前記単位領域の記録を行い、次のｎ回の走査それぞれで前記記録ヘッドから前記クリアインクを吐出して前記単位領域の記録を行うよう制御し、
白近傍の色の画像は、前記ｍ回の走査それぞれで前記記録ヘッドから色材インクと前記クリアインクを吐出することによって記録され、シアンの画像は、前記ｍ回の走査それぞれで前記記録ヘッドから前記色材インクを吐出することおよび前記ｎ回の走査それぞれで前記記録ヘッドから前記クリアインクを吐出することによって記録されることを特徴とするインクジェット記録装置。